(57)【特許請求の範囲】
【請求項１】
車両のインストルメントパネルに対するピラーガーニッシュの取付構造であって、
前記ピラーガーニッシュは、
板状をなすガーニッシュ本体部と、
前記ガーニッシュ本体部の下端部且つ車両後端部に形成され、前記インストルメントパネルの上端部に対して車室外側から係止する爪部と、を備え、
前記ガーニッシュ本体部の下端部の少なくとも一部が、前記インストルメントパネルの前記上端部に対して車室内側から係止する係止部とされ、
前記爪部は、
前記ガーニッシュ本体部の下面から車室外側に延びる基端部と、
前記基端部から下方に延び、前記インストルメントパネルの上端部に対して車室外側から係止する先端部と、を有し、
前記インストルメントパネルの前記上端部且つ車両後端部には、前記基端部が嵌合される切欠部が形成されているピラーガーニッシュの取付構造。
【請求項２】
前記ガーニッシュ本体部の車両後端部を覆うウェザーストリップを備え、
前記切欠部は、前記ウェザーストリップによって、車室内側から覆われている請求項１に記載のピラーガーニッシュの取付構造。
【発明の詳細な説明】
【技術分野】
【０００１】
本発明は、ピラーガーニッシュの取付構造に関する。
【背景技術】
【０００２】
従来、インストルメントパネルに対するピラーガーニッシュの取付構造としては、下記特許文献１に記載のものが知られている。特許文献１のものでは、ピラーガーニッシュに形成された片部がインストルメントパネルの車室内側の面に当接する構成となっている。これにより、ピラーガーニッシュとインストルメントパネルとの間に隙間が生じる事態を抑制することができる。
【先行技術文献】
【特許文献】
【０００３】
【特許文献１】特開２００７−５５４４０号公報
【発明の概要】
【発明が解決しようとする課題】
【０００４】
特許文献１の構成では、ピラーガーニッシュが車室内側に変位する事態を規制することができず、同方向にピラーガーニッシュが変位した際に、ピラーガーニッシュとインストルメントパネルとの間に隙間が生じる事態が懸念される。
【０００５】
本発明は上記のような事情に基づいて完成されたものであって、ピラーガーニッシュとインストルメントパネルとの間に隙間が生じる事態をより確実に抑制することを目的とする。
【課題を解決するための手段】
【０００６】
上記課題を解決するために、本発明は、車両のインストルメントパネルに対するピラーガーニッシュの取付構造であって、前記ピラーガーニッシュは、板状をなすガーニッシュ本体部と、前記ガーニッシュ本体部の下端部且つ車両後端部に形成され、前記インストルメントパネルの上端部に対して車室外側から係止する爪部と、を備え、前記ガーニッシュ本体部の下端部の少なくとも一部が、前記インストルメントパネルの前記上端部に対して車室内側から係止する係止部とされ、前記爪部は、前記ガーニッシュ本体部の下面から車室外側に延びる基端部と、前記基端部から下方に延び、前記インストルメントパネルの上端部に対して車室外側から係止する先端部と、を有し、前記インストルメントパネルの前記上端部且つ車両後端部には、前記基端部が嵌合される切欠部が形成されていることに特徴を有する。
【０００７】
本発明によれば、ガーニッシュ本体部の係止部がインストルメントパネルの上端部に対して車室内側から係止し、爪部がインストルメントパネルの上端部に対して車室外側から係止する。これにより、インストルメントパネルに対してガーニッシュ本体部が車室内外方向に変位する事態を抑制でき、インストルメントパネルとガーニッシュ本体部の間に隙間が生じる事態を抑制できる。また、爪部は、ガーニッシュ本体部の下端から車室外側に延びる基端部と、基端部から下方に延びる先端部と、を有している。仮に、ピラーガーニッシュを成形型で製造する場合において、爪部をガーニッシュ本体部の車室外側の面に形成すると、爪部がアンダーカット部になり易く、成形が困難となる。本発明では、爪部をガーニッシュ本体部の下端に設けてあるから、アンダーカット部になり難く、成形を容易に行うことができる。また、インストルメントパネルには、爪部の基端部が嵌合される切欠部が形成されているから、爪部とインストルメントパネルが干渉することがない。
【０００８】
また、前記ガーニッシュ本体部の車両後端部を覆うウェザーストリップを備え、前記切欠部は、前記ウェザーストリップによって、車室内側から覆われているものとすることができる。切欠部をウェザーストリップによって覆うことで、意匠性をより高くすることができる。
【発明の効果】
【０００９】
本発明によれば、ピラーガーニッシュとインストルメントパネルとの間に隙間が生じる事態をより確実に抑制することができる。
【図面の簡単な説明】
【００１０】
【図１】本発明の一実施形態に係るロアフード部材及びピラーガーニッシュを示す斜視図
【図２】図１のピラーガーニッシュを示す斜視図
【図３】図１のロアフード部材を示す斜視図
【図４】爪部を示す斜視図
【図５】ロアフード部材及びピラーガーニッシュを示す断面図（図１のＶ−Ｖ線で切断した図に対応）
【図６】ロアフード部材及びピラーガーニッシュを示す断面図（図１のＶＩ−ＶＩ線で切断した図に対応）
【発明を実施するための形態】
【００１１】
本発明の一実施形態を図１ないし図６によって説明する。図１は、車両の車室内を運転席側から右斜め前方に向かって視た斜視図である。本実施形態では、ロアフード部材２０に対するピラーガーニッシュ５０の取付構造について説明する。ロアフード部材２０は、車幅方向に長い板状をなし、車両のインストルメントパネルを構成するメータフードの下部を主に構成するものとされる。ロアフード部材２０は、アッパーフード部材（図示せず）によって上方から覆われるロアフード本体部２１と、ロアフード本体部２１から車両側方に向かって延びるロアフード側端部２２と、を備えている。
【００１２】
ピラーガーニッシュ５０（フロントピラーガーニッシュ）は、車両においてフロントピラー１１（ピラーパネル、図５参照）を車室内側（図５の左側）から覆うものとされ、フロントピラーの延設方向に沿って延びる長手状をなしている。つまり、ピラーガーニッシュ５０は、図１に示すように、車両後側に向かうにつれて上昇傾斜する形で延びている。なお、本実施形態では、車両の右側に配されるピラーガーニッシュ５０を例示するが、これに限定されない。ピラーガーニッシュ５０は、例えばオレフィン系エラストマー（ＴＰＯ）によって構成されるが、その材質は、これに限定されず適宜変更可能である。ピラーガーニッシュ５０は、図２に示すように、板状をなすガーニッシュ本体部５１と、ガーニッシュ本体部５１に対して一体的に形成された爪部７１と、を備えている。
【００１３】
ガーニッシュ本体部５１は、車両後側に向かうにつれて上昇傾斜する形で延びており、その上端部５２がルーフライニング（図示せず）と隣接される。ガーニッシュ本体部５１は湾曲する板状をなしており、意匠面（車室内側の面）が車両左側（車幅方向内側）を向く主面部５７と、意匠面が車両後側を向く車両後端部５６と、を主体に構成されている。また、ガーニッシュ本体部５１における車両左側の側端部５３は、略水平方向に延びるものとされる。側端部５３には、アッパーフード部材の周端部が取り付けられる取付片部５４が形成されている。また、ガーニッシュ本体部５１の車室外側の面には、クリップが取り付け可能なクリップ座（図示せず）が設けられており、ガーニッシュ本体部５１は、クリップを介して、フロントピラー１１に組み付けられている。なお、ガーニッシュ本体部５１の車室内側の面に、表皮材（図示せず）が貼り付けられていてもよい。
【００１４】
図１及び図３に示すように、ロアフード側端部２２は、ガーニッシュ本体部５１の下方に配されており、ガーニッシュ本体部５１の下端部の形状に倣う湾曲形状をなしている。ガーニッシュ本体部５１の下端部は、図１及び図５に示すように、ロアフード側端部２２の上端部２３に対して車室内側（図５の左側）から係止（当接）する係止部５５となっている。図５に示すように、係止部５５と上端部２３の間には、緩衝部材２４（例えば、ウレタンパッドやフェルト）が介在されている。これにより、係止部５５と上端部２３とが直接的に当接して異音が発生する事態を抑制することができる。なお、ガーニッシュ本体部５１の下端部の一部のみがロアフード側端部２２の上端部２３に対して車室内側から係止する構成であってもよい。
【００１５】
ガーニッシュ本体部５１の車両後端部５６における下端部（ガーニッシュ本体部の下端部且つ車両後端部）には、図２に示すように、爪部７１が一体的に形成されている。ガーニッシュ本体部５１及び爪部７１は、例えば、射出成形によって一体的に成形される。爪部７１は、図６に示すように、ロアフード側端部２２の上端部２３に対して車室外側（図６の右側、車両前側）から係止する構成となっている。爪部７１は、図４及び図６に示すように、ガーニッシュ本体部５１の下面５１Ａから車室外側（より詳しくは車室外側及び下方）に延びる基端部７２と、基端部７２から下方に延び、ロアフード側端部２２の上端部２３に対して車室外側から係止する先端部７３と、を有している。上述したように、ガーニッシュ本体部５１は、湾曲形状をなしており、その車両後端部においては、車室内側の面が車両後方を向く形で配されている（図１参照）。このため、図６の左側が車両後側（車室内側、ガーニッシュ本体部５１の表側）に対応し、図６の右側が車両前側（車室外側、ガーニッシュ本体部５１の裏側）に対応している。なお、本実施形態において、車室外側とは、意匠面とは反対側のことを指すものとする。
【００１６】
先端部７３は、基端部７２から下方に延びる延設部７３Ａと、延設部７３Ａにおける車室内側の面から車室内側に突出する突起部７３Ｂと、から構成されている。図４に示すように、爪部７１の基端部７２は、ロアフード側端部２２の上端部２３に形成された切欠部２２Ａに嵌合されている。切欠部２２Ａは、図３に示すように、上端部２３における車両後端部（言い換えると車幅方向外側の端部）に形成されており、略方形状をなしている。図６に示すように、切欠部２２Ａを構成する上端部２３の上面と基端部７２の下面との間には、わずかに隙間Ｓ１が設けられている。このため、ガーニッシュ本体部５１（又はロアフード側端部２２）に上下方向の寸法誤差が生じた場合において、ガーニッシュ本体部５１とロアフード側端部２２とが干渉する事態を抑制することができる。突起部７３Ｂは、断面視において三角形状をなしており、その車室内側の面７３Ｄにおいて、ロアフード側端部２２の上端部２３の車室外側の面に当接する構成となっている。また、図４に示すように、突起部７３Ｂの幅は、延設部７３Ａの幅よりも小さく設定されている。
【００１７】
図１に示すように、ガーニッシュ本体部５１における車両前端部は、フロントガラス（図示せず）の側端部と隣接する構成となっている。一方、ガーニッシュ本体部５１における車両後端部５６は、サイドガラス（図示せず）と隣接する構成となっており、サイドガラスの周端部の形状に倣う湾曲形状をなしている。図１に示すように、車両後端部５６は、ウェザーストリップ３０のリップ部３１（図１の２点鎖線で示す）によって車室内側から覆われる構成となっている。ウェザーストリップ３０（オープニングトリム）は、例えば、合成ゴム等の弾性材料によって構成され、フロントピラー１１の側端部に取り付けられている。図６に示すように、リップ部３１は、ガーニッシュ本体部５１からロアフード側端部２２に亘って延びており、爪部７１の基端部７２及び切欠部２２Ａを車室内側（図６の左側）から覆う構成となっている。また、図６に示すように、ガーニッシュ本体部５１における車両後端部５６の裏側には、フロントピラー１１に当接する複数のリブ５８が形成されている。
【００１８】
本実施形態において、ガーニッシュ本体部５１を組み付ける際には、次のようにする。組み付けを行う作業者は、設置された状態のロアフード本体部２１の上端部２３に対して、ガーニッシュ本体部５１の係止部５５を車室内側から緩衝部材２４を介して当接させる。次に、爪部７１をロアフード側端部２２の車室内側に係止させる。この時、爪部７１及びガーニッシュ本体部５１における爪部７１の周辺部分を車室外側に弾性的に撓ませることで、係止作業を容易に行うことができる。これにより、ロアフード側端部２２に対して、ガーニッシュ本体部５１が、その板厚方向（車室内外方向に相当）において位置決めされる。なお、ガーニッシュ本体部５１を組み付けた後、ロアフード本体部２１に対して、アッパーフード部材（図示せず）を組み付ける。
【００１９】
次に、本実施形態の効果について説明する。本実施形態によれば、ガーニッシュ本体部５１の係止部５５がロアフード側端部２２の上端部２３に対して車室内側（表側）から係止し、爪部７１がロアフード側端部２２の上端部２３に対して車室外側（裏側）から係止する。これにより、ロアフード部材２０に対してガーニッシュ本体部５１が車室内外方向に変位する事態を抑制でき、ロアフード部材２０とガーニッシュ本体部５１の間に隙間が生じる事態を抑制できる。また、爪部７１は、ガーニッシュ本体部５１の下端から車室外側に延びる基端部７２と、基端部７２から下方に延びる先端部７３と、を有している。
【００２０】
仮に、ピラーガーニッシュ５０を成形型などの成形手段で製造する場合において、ガーニッシュ本体部５１の車室外側の面５１Ｂに爪部を形成した場合には、爪部がアンダーカット部となり、成形が困難となる。このような爪部を図６にて２点鎖線で例示し、符号７を付す。具体的に説明すると、本実施形態ではガーニッシュ本体部５１は、主面部５７と車両後端部５６（爪部の形成箇所）とを備えている。このため、例えば、ピラーガーニッシュ５０を成形する成形型（図示せず）の型抜き方向を図６の紙面貫通方向（ガーニッシュ本体部５１の主面部５７の板面に対する法線方向、車幅方向）とした場合には、爪部７は型抜き方向において、ガーニッシュ本体部５１の主面部５７と重なることになり、アンダーカット部となる。なお、図６においては、ガーニッシュ本体部５１の下面５１Ａのうち、主面部５７の下面を２点鎖線で概略的に示し、符号５７Ａを付してある。本実施形態では、爪部７１を車室外側の面５１Ｂではなく、ガーニッシュ本体部５１の下面５１Ａから下方に延びる形で設けてあるから、爪部７１はアンダーカット部にならず、成形を容易に行うことができる。また、ロアフード部材２０には、爪部７１の基端部７２が嵌合される切欠部２２Ａが形成されているから、爪部７１とロアフード部材２０が干渉することがない。
【００２１】
また、ガーニッシュ本体部５１の車両後端部を覆うウェザーストリップ３０（リップ部３１）を備え、切欠部２２Ａは、ウェザーストリップ３０によって、車室内側から覆われている。切欠部２２Ａをウェザーストリップ３０によって覆うことで、意匠性をより高くすることができる。
【００２２】
また、図５に示すように、本実施形態では、ロアフード側端部２２の上端部２３をガーニッシュ本体部５１の下端部（係止部５５）が車室内側から覆う構成となっている。このような構成とすれば、ロアフード側端部２２の上端部２３とガーニッシュ本体部５１の下端部との見切り線が上方（ひいては乗員）から視認され難く、意匠性をより高くすることができる。
【００２３】
また、爪部７１は、ガーニッシュ本体部５１の下端部且つ車両後端部に形成されている。このような構成とすれば、爪部７１をロアフード側端部２２の車室内側に係止させる際に、ガーニッシュ本体部５１における爪部７１の周辺部分を容易に撓ませることができ、その係止作業を容易に行うことができる。
【００２４】
＜他の実施形態＞
本発明は上記記述及び図面によって説明した実施形態に限定されるものではなく、例えば次のような実施形態も本発明の技術的範囲に含まれる。
（１）上記実施形態では、インストルメントパネルが少なくともロアフード部材とアッパーフード部材から分割構成されるものを例示し、係止部５５及び爪部７１がロアフード部材に対して係止する構成としたが、これに限定されない。係止部５５及び爪部７１は、インストルメントパネルを構成する部材に対して係止する構成であればよい。
（２）上記実施形態において、ロアフード側端部２２の上端部２３と、ガーニッシュ本体部５１の係止部５５の間に緩衝部材２４が介在されていなくてもよい。また、突起部７３Ｂとロアフード側端部２２の間に緩衝部材が介在されていてもよい。
（３）爪部７１の構成は上記実施形態で例示したものに限定されず適宜変更可能である。例えば、突起部７３Ｂを有しておらず、延設部７３Ａがロアフード側端部２２の上端部２３に対して直接的に当接する構成であってもよい。
（４）上記実施形態では、爪部７１の基端部７２が車室外側且つ下方に延びる構成を例示したが、これに限定されない。基端部７２は少なくとも車室外側（ロアフード側端部の上端部２３の裏側）に延びる構成であればよい。
【符号の説明】
【００２５】
２０…ロアフード部材（インストルメントパネル）、２２Ａ…切欠部、２３…ロアフード側端部の上端部（インストルメントパネルの上端部）、３０…ウェザーストリップ、５０…ピラーガーニッシュ、５１…ガーニッシュ本体部、５１Ａ…ガーニッシュ本体部の下面、５５…係止部、５６…ガーニッシュ本体部の車両後端部、７１…爪部、７２…基端部、７３…先端部
【図１】
0006334382.tif 000002
【図２】
0006334382.tif 000003
【図３】
0006334382.tif 000004
【図４】
0006334382.tif 000005
【図５】
0006334382.tif 000006
【図６】
0006334382.tif 000007